(57)【要約】【課題】  シーリング材の劣化を効果的に防止することができるコンクリート製水路の継目施工方法を提供することである。【解決手段】  本発明の新設のコンクリート製水路の継目を施工する方法は、シーリング材を充填しようとする凹部（１０）の内部のコンクリート面に、接着剤の役目を果たすプライマー（１２）を塗布する工程と、凹部の内部にシーリング（１４）材を充填する工程と、凹部内に充填されたシーリング材の表面に、上塗り材（１６）を塗布する工程とを含むことを特徴としている。【選択図】  図１
2010163762.tif 000002
【特許請求の範囲】
【請求項１】
新設のコンクリート製水路の継目を施工する方法であって、
シーリング材を充填しようとする凹部の内部のコンクリート面に、接着剤の役目を果たすプライマーを塗布する工程と、
前記凹部の内部にシーリング材を充填する工程と、
前記凹部内に充填されたシーリング材の表面に、上塗り材を塗布する工程と、
を含むことを特徴とする方法。
【請求項２】
前記プライマーを塗布する工程において、前記凹部の周囲のコンクリート面にプライマーを塗布し、前記上塗り材を塗布する工程において、前記凹部の周囲のコンクリート面に塗布されたプライマーの上に上塗り材を塗布することを含むことを特徴とする請求項１に記載された方法。
【請求項３】
既設のコンクリート製水路の継目を補修する方法であって、
既存目地の表面に、接着剤の役目を果たすプライマーを塗布する工程と、
前記塗布されたプライマーの上に、シーリング材を塗布し、その上に更に、上塗り材を塗布する工程と、
を含むことを特徴とする方法。
【請求項４】
前記既存目地の表面にプライマーを塗布する工程において、前記既存目地の周囲のコンクリート面にプライマーを塗布し、前記上塗り材を塗布する工程において、前記既存目地の周囲のコンクリート面に塗布されたプライマーの上に上塗り材を塗布することを含むことを特徴とする請求項３に記載された方法。
【請求項５】
前記上塗り材が、アクリルエマルジョン系樹脂とセメント・砂とを混合したものであることを特徴とする請求項１から請求項４までのいずれか１項に記載された方法。
【請求項６】
アクリルエマルジョン系樹脂とセメント・砂との混合比率が、アクリルエマルジョン系樹脂が全体の４０容積％〜６０容積％になるようなものであることを特徴とする請求項５に記載された方法。
【発明の詳細な説明】
【技術分野】
【０００１】
本発明は、農業用水路等のコンクリート製水路の継目施工方法に関する。本発明の施工方法は、現場打ちコンクリート製水路と二次製品を利用したコンクリート製水路の両方に適用される。
【背景技術】
【０００２】
コンクリート製水路において継目が形成されるのは避け難いことである。図４は、コンクリート製水路における従来の継目施工方法を示した図である。すなわち、従来は、コンクリート製水路の継目部分に、シリコン樹脂やポリウレタン系樹脂等のシーリング材等を充填することによって、水路からの漏水を防止している。
【発明の開示】
【発明が解決しようとする課題】
【０００３】
しかしながら、従来のシーリング材は紫外線に弱いため、紫外線に曝されるシーリング材の外面が劣化し、ひび割れ等が発生するという課題があった。また、シーリング材の外面を保護するため、シーリング材の外面にウレタン塗装を施すことも考えられるが、水路では伸縮度が大きいため、塗装がシーリング材の伸縮に追従できず、塗装が剥離してしまうという不都合がある。
【０００４】
本発明は、このような現状に鑑みて開発されたものであって、シーリング材の劣化を効果的に防止することができるコンクリート製水路の継目施工方法を提供することを目的としている。
【課題を解決するための手段】
【０００５】
本願請求項１に記載の、新設のコンクリート製水路の継目を施工する方法は、シーリング材を充填しようとする凹部の内部のコンクリート面に、接着剤の役目を果たすプライマーを塗布する工程と、前記凹部の内部にシーリング材を充填する工程と、前記凹部内に充填されたシーリング材の表面に、上塗り材を塗布する工程とを含むことを特徴とするものである。
【０００６】
本願請求項２に記載の、新設のコンクリート製水路の継目を施工する方法は、前記請求項１の方法において、前記プライマーを塗布する工程において、前記凹部の周囲のコンクリート面にプライマーを塗布し、前記上塗り材を塗布する工程において、前記凹部の周囲のコンクリート面に塗布されたプライマーの上に上塗り材を塗布することを含むことを特徴とするものである。
【０００７】
本願請求項３に記載の、既設のコンクリート製水路の継目を補修する方法は、既存目地の表面に、接着剤の役目を果たすプライマーを塗布する工程と、前記塗布されたプライマーの上に、シーリング材を塗布し、その上に更に、上塗り材を塗布する工程とを含むことを特徴とするものである。
【０００８】
本願請求項４に記載の、既設のコンクリート製水路の継目を補修する方法は、前記請求項３の方法において、前記既存目地の表面にプライマーを塗布する工程において、既存目地の周囲のコンクリート面にプライマーを塗布し、前記上塗り材を塗布する工程において、前記既存目地の周囲のコンクリート面に塗布されたプライマーの上に上塗り材を塗布することを含むことを特徴とするものである。
【０００９】
本願請求項５に記載の方法は、前記請求項１から４までのいずれか１項の方法において、前記上塗り材が、アクリルエマルジョン系樹脂とセメント・砂とを混合したものであることを特徴とするものである。
【００１０】
本願請求項６に記載の方法は、前記請求項５の方法において、アクリルエマルジョン系樹脂とセメント・砂との混合比率が、アクリルエマルジョン系樹脂が全体の４０容積％〜６０容積％になるようなものであることを特徴とするものである。
【発明の効果】
【００１１】
本発明の方法により、シーリング材の劣化を防止することができ、コンクリート製水路の継目部分にひび割れ等が発生することが効果的に回避することができる。本発明の方法は、既存のコンクリート製水路の継目部分の補修にも使用することができる。本発明の方法は、手間を要せずに比較的容易に実施することができるとともに、施工コストを廉価に抑えることができる。
【発明を実施するための最良の形態】
【００１２】
次に図面を参照して、コンクリート二次製品を利用して水路を施工する場合を例にとり、本発明の好ましい実施の形態に係るコンクリート製水路の継目施工方法について詳細に説明する。図１は、本発明の好ましい実施の形態に係る継目施工方法によって施工されたコンクリート製水路の継目を模式的に示した拡大断面図、図２は、本発明の好ましい実施の形態に係る継目施工方法の一連の作業工程を示した図である。
【００１３】
水路を形成するコンクリート二次製品には一般的に、シーリング材を充填しようとする凹部１０が端部に設けられている。継目施工に先立って、まず施工箇所の周囲を高圧水で洗浄し、下地調整を行い、所要の養生を施す（図２（ａ）参照）。
【００１４】
次いで、凹部１０の内部のコンクリート面１０ａに、接着剤の役目を果たすプライマー１２を塗布する（図２（ｂ）参照）。プライマー１２としては、例えばアクリル樹脂やエポキシ樹脂を配合した油性プライマーを使用するのが好ましい。後述する上塗り材とコンクリート面との付着を強固にするため、好ましくは、凹部１０の周囲のコンクリート面１０ｂにも、プライマー１２を塗布する。
【００１５】
次いで、凹部１０の内部に、シーリング材１４を充填する（図２（ｃ）参照）。シーリング材１４としては、ポリウレタン樹脂を使用するのが好ましい。
【００１６】
次いで、凹部１０内に充填されたシーリング材１４の表面に、上塗り材１６を塗布する（図２（ｄ）参照）。上塗り材１６としては、アクリルエマルジョン系樹脂とセメント・砂とを混合したものを使用する。アクリルエマルジョン系樹脂は、伸縮能力に優れており、セメント・砂は、アクリルエマルジョン系樹脂をシーリング材１４に接着する付着能力に優れている。
【００１７】
アクリルエマルジョン系樹脂とセメント・砂との混合比率は、アクリルエマルジョン系樹脂が全体の４０容積％〜６０容積％になるようにするのが好ましく、５０容積％になるようにするのが最も好ましい。また、セメントと砂の配合比率は、ほぼ等分とするのがよく、例えば、セメント５０容積％、砂（珪砂）４９．５容積％、繋材料０．５容積％とするのが最も好ましい。
【００１８】
なお、上述のように、凹部１０の周囲のコンクリート面１０ｂに塗布されたプライマー１２の表面に、上塗り材１６を塗布することにより、コンクリート面とシーリング材１４との境界箇所での上塗り材１６の剥離を回避することができる。
【００１９】
図３は、既存のコンクリート製水路の継目の補修に、本発明の継目施工方法を適用した例を模式的に示した図である。既存のコンクリート製水路の継目の補修の場合も基本的には、上述の施工方法と実質的に同一である。すなわち、継目補修に先立って、欠落部を撤去し、補修箇所の周囲を高圧水で洗浄し、欠落部を補修し、養生を施す。次いで、既存目地の表面にプライマー１２を塗布するが、この際、既存目地の周囲のコンクリート面にも、プライマー１２を塗布するのが好ましい。次いで、プライマー１２の上に、シーリング材１４′（好ましくは、ポリウレタン樹脂）を塗布し、その上に更に、上塗り材１６を塗布することにより、補修が完了する。
【００２０】
本発明は、以上の発明の実施の形態に限定されることなく、特許請求の範囲に記載された発明の範囲内で、種々の変更が可能であり、それらも本発明の範囲内に包含されるものであることはいうまでもない。
【００２１】
たとえば、前記実施の形態では、コンクリート二次製品を用いて形成された水路における継目施工に関連して説明されているが、本発明の方法を現場打ちコンクリート製水路における継目施工に適用してもよい。また、図示されているプライマーや上塗り材の厚み等は単なる例示的にものにすぎない。
【図面の簡単な説明】
【００２２】
【図１】本発明の好ましい実施の形態に係る継目施工方法によって施工されたコンクリート製水路の継目を模式的に示した拡大断面図である。
【図２】本発明の好ましい実施の形態に係る継目施工方法の一連の作業工程を示した図である。
【図３】既存のコンクリート製水路の継目の補修に、本発明の継目施工方法を適用した例を模式的に示した図である。
【図４】コンクリート製水路における従来の継目施工方法を示した図である。
【符号の説明】
【００２３】
１０  シーリング材を充填しようとするコンクリートの凹部
１０ａ  凹部の内部のコンクリート面
１０ｂ  凹部の周囲のコンクリート面
１２  プライマー
１４、１４′  シーリング材
１６  上塗り材
【図１】
2010163762.tif 000003
【図２】
2010163762.tif 000004
【図３】
2010163762.tif 000005
【図４】
2010163762.tif 000006